(57)【特許請求の範囲】
【請求項１】
２次元および／または３次元の表示装置を形成するための発光ブロックであって、
中空のモジュールと、
前記モジュールの内部に配置されるように光源ユニットが取り付けられた、少なくとも１つの基板とを有し、
前記モジュールは、第１の方向の両端が開口端となった透光性サブモジュールと、当該モジュールの第１の方向の端部の少なくとも一部を構成し、前記透光性サブモジュールの前記開口端に着脱可能に取り付けられている複数のコネクタサブモジュールであって、互いに接続可能な凸タイプおよび凹タイプ、または前記凸タイプおよび前記凹タイプのいずれか一方のタイプの複数のコネクタサブモジュールとを含み、
当該発光ブロックは、当該発光ブロックのコネクタサブモジュールと複数の他の発光ブロックのコネクタサブモジュールとが機械的に接続されて、前記表示装置を形成する、発光ブロック。
【請求項２】
請求項１において、前記モジュールの前記端部は、それぞれ、前記複数のコネクタサブモジュールを含む、発光ブロック。
【請求項３】
請求項１または２において、前記少なくとも１つの基板は、他の発光ブロックの基板と電気的に接続するための端子ユニットを含み、
前記複数のコネクタサブモジュールは、前記端子ユニットが外側に現れる開口を含み、
前記少なくとも１つの基板は、前記コネクタサブモジュールと前記透光性サブモジュールとの間に取り付けられ、
当該発光ブロックは、当該発光ブロックのコネクタサブモジュールにより機械的に接続される複数の他の発光ブロックの少なくとも一部との間で前記少なくとも１つの基板を介して電気的に接続される、発光ブロック。
【請求項４】
請求項１ないし３のいずれかにおいて、前記少なくとも１つの基板は、前記モジュールの前記端部の少なくとも一方に含まれている、発光ブロック。
【請求項５】
請求項１ないし４のいずれかにおいて、複数の前記光源ユニットを有する、発光ブロック。
【請求項６】
請求項５において、前記透光性サブモジュールは、前記複数の光源ユニットのそれぞれに対応する複数の区画に分割されている、発光ブロック。
【請求項７】
請求項１ないし６のいずれかにおいて、前記モジュールの形状は直方体型である、発光ブロック。
【請求項８】
２次元および／または３次元の表示装置を形成するための発光ブロックであって、
中空で第１の方向の両端が開口端となった透光性サブモジュールを有し、
前記透光性サブモジュールの前記開口端には、互いに接続可能な凸タイプおよび凹タイプ、または前記凸タイプおよび前記凹タイプのいずれか一方のタイプの複数のコネクタサブモジュールが、光源ユニットが搭載された基板を挟んで取り付け可能であり、
当該発光ブロックは、前記コネクタサブモジュールを介して他の発光ブロックと機械的および／または電気的に接続されて、前記表示装置を形成する、発光ブロック。
【請求項９】
請求項１ないし８のいずれかに記載の発光ブロックを複数有し、
前記複数の発光ブロックが前記コネクタサブモジュールを介して、２次元または３次元に組み立てられている、表示装置。
【発明の詳細な説明】
【技術分野】
【０００１】
本発明は、ＬＥＤなどの光源を含む発光ブロックおよびそれらを組み合わせた表示装置に関するものである。
【背景技術】
【０００２】
特許文献１には、装飾性を備えたブロック玩具が開示されている。特許文献１には、透光性材によって立方体、直方体、円柱体等の所定の立体形状に構成し、一面に突起部を設け、他の一面に突起部を嵌入する嵌入部を設け、当該突起部、嵌入部それぞれの着脱自在な嵌合によって相互に接合可能なブロック体とすることが記載されている。特許文献１には、さらに、このブロック体により、発光体を内蔵した発光用ブロック体、投影模様を表示したフィルム部材を保持するマスク部を備えた投影用ブロック体、反射鏡を内蔵した反射用ブロック体、万華鏡を内蔵した万華鏡用ブロック体、透光反射面を有する透光体を内蔵した透光体用ブロック体、芳香剤を内蔵した芳香用ブロック体それぞれで構成することが記載されている。
【特許文献１】特開２００６−２６２９３９号公報
【発明の開示】
【発明が解決しようとする課題】
【０００３】
特許文献１には、発光体を内蔵した発光用ブロック体を２次元または３次元に組み合わせて１つの表示装置にすることは開示されていない。
【課題を解決するための手段】
【０００４】
本発明の一態様は、２次元および／または３次元の表示装置を形成するための発光ブロックである。この発光ブロックは、中空のモジュールと、このモジュールの内部に配置されるように光源ユニットが取り付けられた、少なくとも１つの基板とを有する。モジュールは、第１の方向の両端が開口端となった透光性サブモジュールと、当該モジュールの第１の方向の端部の少なくとも一部を構成し、透光性サブモジュールの開口端に着脱可能に取り付けられている複数のコネクタサブモジュールとを含む。複数のコネクタサブモジュールは、互いに接続可能な凸タイプおよび凹タイプ、または凸タイプおよび凹タイプのいずれか一方のタイプを含む。この発光ブロックは、この発光ブロックのコネクタサブモジュールと複数の他の発光ブロックのコネクタサブモジュールとが機械的に接続されて、表示装置を形成する。
【０００５】
この発光ブロックによれば、複数のコネクタサブモジュールは、透光性サブモジュールに着脱可能に取り付けられているため、中空モジュールの端部、すなわち、発光ブロックの端部を構成するコネクタサブモジュールを交換することができる。したがって、透光性サブモジュールと、互いに接続可能な凸タイプおよび凹タイプ、または凸タイプおよび凹タイプのいずれか一方のタイプのコネクタサブモジュールとの組み合わせにより、接続環境または接続条件の異なる種々のバリエーションの発光ブロックを形成することができる。接続条件の異なる種々のタイプの発光ブロックが得られるため、これらの発光ブロックを用いて、２次元および／または３次元的に広がりを持つ種々の形状の表示装置をフレキシブルに形成することができる。
【０００６】
さらに、この発光ブロックでは、モジュールの端部は、それぞれ、複数のコネクタサブモジュールを含むことが好ましい。すなわち、透光性サブモジュールの第１の方向の両端のそれぞれに、複数のコネクタサブモジュールが取り付けられていることが好ましい。典型的には、透光性モジュールの第１の方向の両端の開口端のそれぞれに、互いに接続可能な異なるタイプおよび／またはいずれか一方のタイプの複数のコネクタサブモジュールが取りつけられていることが望ましい。この発光ブロックにおいては、それぞれの端部に複数のコネクタサブモジュールを備えているので、それぞれの端部において、それらのコネクタサブモジュールと複数の他の発光ブロックのコネクタサブモジュールとを接続できる。したがって、複数の発光ブロックを２次元および／または３次元的に機械的に接続して、表示装置を形成することができる。
【０００７】
複数の発光ブロックの接続は、典型的には、ジグザグになる。例えば、複数の発光ブロックは、まず、第１の方向、典型的には上下方向に機械的に連結される。そして、第１の方向に直交する第２の方向、典型的には左右方向には、上下に存在する他の発光ブロックを介して機械的に連結される。このようにすることにより、第２の方向に直に機械的に接続しなくても第２の方向にも広がりのある表示装置を形成することができる。第１の方向は、発光ブロックが機械的に連結される方向を示し、発光ブロックを水平方向あるいは左右方向に連結することも可能である。この場合、第１の方向は左右方向であり、第２の方向は上下方向になる。
【０００８】
この発光ブロックにおいて、少なくとも１つの基板は、他の発光ブロックの基板と電気的に接続するための端子ユニットを含むことが好ましい。この場合、複数のコネクタサブモジュールは、端子ユニットが外側に現れる開口を含むことが好ましく、その少なくとも１つの基板は、コネクタサブモジュールと透光性サブモジュールとの間に取り付けられることが好ましい。さらに、この発光ブロックは、この発光ブロックのコネクタサブモジュールにより機械的に接続される複数の他の発光ブロックの少なくとも一部との間で、その少なくとも１つの基板を介して電気的に接続されることが好ましい。
【０００９】
この発光ブロックによれば、この発光ブロックのコネクタサブモジュールと複数の他の発光ブロックのコネクタサブモジュールとを機械的に接続するだけで、この発光ブロックと複数の他の発光ブロックとを基板を介して電気的に接続することができる。このため、複数の発光ブロックを機械的に組み立てることにより、電気的にも接続された、２次元および／または３次元的に広がりを持つ種々の形状の表示装置を形成することができる。しかも、基板は、発光ブロックの境界となる端部に配置されるので、複数の発光ブロックを電気的に接続する基板の存在は、表示装置の外部からはほとんど見えない。このため、複数の発光ブロックを電気的に接続するための資源（基板、配線など）の存在を隠した、または外部に直接的には表れないタイプの表示装置を形成できる。また、コネクタサブモジュールと同様に、タイプの異なる基板を着脱することができ、発光ブロックの電気的な接続条件あるいは接続環境もフレキシブルに変えることができる。
【００１０】
また、この発光ブロックにおいて、少なくとも１つの基板は、モジュールの第１の方向、例えば、上下の端部の少なくとも一方に含まれていることが好ましい。すなわち、この発光ブロックでは、基板をモジュールの端部の一方に配置してもよく、基板をモジュールの端部の両方に配置してもよい。透光性サブモジュールの端部に少なくとも一方に基板が含まれるようにすることにより、典型的には、上または下に機械的に接続された発光ブロックを介して、第２の方向、例えば、左右方向（横方向）に並んだ複数の発光ブロックを電気的に接続することができる。透光性サブモジュールの上下の端部の両方に基板を配置することにより、上下に機械的に接続された複数の発光ブロックを、上下方向（縦方向）に電気的に接続することができる。
【００１１】
この発光ブロックは、複数の光源ユニットを有することが好ましい。また、この場合、透光性サブモジュールは、複数の光源ユニットのそれぞれに対応する複数の区画に分割されていることが好ましい。このようにすることにより、１つの発光ブロックが、複数の発光単位（画素）を持つようにすることができる。発光ブロックは、上下および／または左右に分割してもよく、このようにすることにより、１つの発光ブロックにより実現できる画素数を増加でき、解像度の高い画像を表示する表示装置を提供できる。複数の区画を分ける壁は、遮光性であることが望ましい。複数の光源ユニットからの光の光学的クロストーク（混色）を抑止できる。
【００１２】
モジュールの形状は、複数の多面体構造が直線的に接続されている形状である。多面体構造の一例は、立方体（正６面体）構造、切頂６面体構造、切頂２０面体（サッカーボール）構造である。１つの発光体ブロックが複数の分割された発光単位（画素）を持つようにする場合には、例えば直方体型とすることが好ましい。最も典型的なモジュールの形状（外形）は、２つの立方体構造が直線的に接続された直方体である。
【００１３】
本発明の他の態様は、２次元および／または３次元の表示装置を形成するための発光ブロックである。この発光ブロックは、中空で第１の方向の両端が開口端となった透光性サブモジュールを有する。透光性サブモジュールの開口端には、互いに接続可能な凸タイプおよび凹タイプ、または凸タイプおよび凹タイプのいずれか一方のタイプの複数のコネクタサブモジュールが、光源ユニットが搭載された基板を挟んで取り付け可能である。この発光ブロックは、コネクタサブモジュールを介して他の発光ブロックと機械的および／または電気的に接続されて、表示装置を形成する。
【００１４】
この発光ブロックによれば、透光性サブモジュールの第１の方向の両方の開口端に、互いに接続可能な凸タイプおよび凹タイプ、または凸タイプおよび凹タイプのいずれか一方のタイプの複数のコネクタサブモジュールを着脱可能に取り付けている。このため、種々のバリエーションの発光ブロックを得ることができる。このように、種々な形状の発光ブロックが得られるため、これらの発光ブロックを用いて、２次元および／または３次元的に広がりを持つ種々の形状の表示装置を形成することができる。
【００１５】
また、光源ユニットが搭載された基板は、透光性サブモジュールとコネクタサブモジュールの間に挟まれて、透光性サブモジュールの第１の方向の端部の少なくとも一方に配置される。このため、この発光ブロックのコネクタサブモジュールと複数の他の発光ブロックのコネクタサブモジュールとを機械的に接続するだけで、この発光ブロックのコネクタサブモジュールと複数の他の発光ブロックのコネクタサブモジュールとを電気的に接続することが可能である。しかも、基板は、発光ブロックの境界となる端部に配置されるため、基板が表示装置の外部から見えにくい。
【００１６】
本発明のさらに他の態様は、上述した発光ブロックを複数有し、複数の発光ブロックがコネクタサブモジュールを介して、２次元または３次元に組み立てられている、表示装置である。表示装置によりマルチカラーの画像を表示するためには、それぞれの発光ブロックが、１画素当たりＲＧＢ各色の光を出力できる光源ユニットを備え、１画素の単位で、原色ではなく混色された色を表示できることが望ましい。発光ブロックは、機械的に着脱できるサイズ、特に、ユーザの手で着脱できる大きさであることが望ましく、そのようなサイズで適当な解像度の表示装置を得るためには、１つの画素で混色を表現できることが望ましい。典型的な光源ユニット（光源モジュール）は、ＲＧＢ各色のＬＥＤを備えたＬＥＤモジュールあるいは発光ユニットである。
【発明を実施するための最良の形態】
【００１７】
図１は、複数の発光ブロック（発光用ブロック）により形成された板状の表示装置の一例を示している。図２は、図１の表示装置を展開図（分解斜視図）により示している。図１および図２に示す表示装置１は、フラットパネルタイプであり、２次元的な広がりを備えた壁体（表示壁体）５を構成する表示装置である。表示壁体５は、縦横に組み合わされた複数の発光ブロック１０により形成されている。表示壁体５は、１つの平面的な壁だけではなく、直交する複数の壁により形成されていてもよい。
【００１８】
この表示装置１を形成する発光ブロック１０は、外形が異なる２つのタイプの発光ブロック１１および１２を含んでいる。第１のタイプ１１は、全体が略直方体型の発光ブロックであり、第２のタイプ１２は、全体が略立方体型の発光ブロックである。直方体型の発光ブロック１１は、立方体型の発光ブロック１２が２つ直線的に接続された形状であると考えることができる。この表示装置１において、直方体型の発光ブロック１１は、左右が２つの発光セクション（パーティション）２５ａおよび２５ｂに分かれており、２画素（２ドット）を表示する。立方体型の発光ブロック１２は、１画素（１ドット）を表示する。
【００１９】
図３および図４に示す発光ブロック（タイプＡの発光ブロック）１１Ａを例にとり、発光ブロック１１について、さらに詳しく説明する。図３は、全体が直方体型の発光ブロック１１の一例（タイプＡの発光ブロック１１Ａ）を斜視図により示している。図４は、図３の直方体型の発光ブロック１１Ａを展開図（分解斜視図）により示している。図５は、直方体型の発光ブロック１１Ａを構成するモジュール類を展開図（分解斜視図）により示している。この発光ブロック１１Ａは、上述した表示装置１のように、２次元的な広がりを備えた壁体（表示壁体）５を構成する表示装置を形成する際に好適に用いることができる。また、この発光ブロック１１Ａは、後述する表示装置２のように、３次元的に広がりを備える壁体（表示壁体）５を構成する表示装置を形成する際にも好適に用いることができる。
【００２０】
発光ブロック１１Ａを含む発光ブロック１１は、それぞれ、中空で外形が直方体型のモジュール２０と、モジュール２０の内部に配置され、光源ユニット（光源モジュール）２９が取り付けられた、接続用基板３１とを有する。モジュール２０は、幾つかのサブモジュールにより構成されている。このモジュール２０は、全体が直方体型で上下の端３９ａおよび３９ｂが開口端となった透光性サブモジュール３０と、透光性サブモジュール３０の上下方向に対向する端部（開口端）３９ａおよび３９ｂを覆うように設けられ、モジュール２０の上下の端部２１ａおよび２１ｂを構成する複数のコネクタサブモジュール３６とを含んでいる。なお、以下においては、発光ブロック１１が機械的に連結される方向（第１の方向）を上下とし、上下に接続された発光ブロックにより発光ブロックが並ぶ方向を左右として説明している。発光ブロック１１の向きにより、連結される方向は水平方向（左右方向）であっても良く、上下方向と左右方向とは置換できるものである。また、発光ブロックが連結される方向は、必ずしも鉛直方向あるいは水平方向に限るものではなく、適当なサポートにより鉛直方向に対して傾斜した方向に連結することも可能である。
【００２１】
透光性サブモジュール３０は、四方の壁（周壁）２２ａ〜２２ｄを構成する壁部３０ａと、壁部３０ａにより囲われた内部を２つの立方体状の空間に区切るように配置された補助壁３０ｂとを含む。したがって、中空モジュール２０の内部は、２つの区画（パーティション）２５ａおよび２５ｂに分割されている。モジュール２０の上下方向と直交する前後左右および左右方向に向いた複数の周壁２２ａ〜２２ｄ（すなわち、透光性サブモジュール３０の上下方向と直交する前後左右および左右方向に向いた複数の周壁３０ａ）は、外面が平坦で乳白色の透光性の壁となっている。
【００２２】
２つの区画２５ａおよび２５ｂを区切る補助壁３０ｂは、遮光性であることが望ましい。この例では、透光性の壁部３０ａと一体で成形されており、後に、反射フィルム（反射シート）を貼ることで遮光性にしている。それぞれのパーティション２５ａおよび２５ｂの四隅には、モジュール２０の上下の端部２１ａおよび２１ｂを構成するコネクタサブモジュール３６を取り付けるための固定ねじ（雌ねじ）３０ｃが配置されている。この固定ねじ３０ｃに沿って上下の端部２１ａおよび２１ｂを電気的に接続する配線（接続用電極、電気接続ワイヤー）３５ｃを取り付けることができる。コネクタサブモジュール３６は、固定ねじ３０ｃに対応する雄ねじ３０ｄにより、透光性サブモジュール３０に着脱可能に取り付けられている。
【００２３】
１つのモジュール２０の端部２１ａおよび２１ｂを構成する複数のコネクタサブモジュール３６は、互いに接続可能な異なるタイプのコネクタサブモジュールおよび／またはいずれか一方のタイプの複数のコネクタサブモジュールを含んでいる。このモジュール２０には、透光性サブモジュール３０の上下の端部３９ａおよび３９ｂのそれぞれには、コネクタサブモジュールが２つずつ取り付けられている。したがって、１つの発光ブロック１１に対し、上方に２つの他の発光ブロック１１を隣接した状態で機械的に接続でき、下方に２つの他の発光ブロック１１を隣接した状態で機械的に接続できる。
【００２４】
以下に説明するタイプの異なるモジュール２０であっても、直方体型の発光ブロック１１を構成するモジュール２０であれば、典型的には、透光性サブモジュール３０は共通しており、モジュール２０の端部２１ａおよび２１ｂを構成するコネクタサブモジュール３６や基板が変えられ、それぞれのタイプのモジュール２０に異なる機能が付与されている。
【００２５】
図５は、モジュール２０の端部２１ａおよび２１ｂを構成可能ないくつかのサブモジュールを示している。端部２１ａおよび２１ｂの少なくとも一部を構成するサブモジュールを選択したり、サブモジュールを変えて端部２１ａおよび２１ｂを再構成することにより、いくつかのタイプの発光ブロックを提供できる。以下では、図５も参照しながら説明する。
【００２６】
端部２１ａおよび２１ｂに配置される典型的なサブモジュールは、コネクタサブモジュール３６であり、コネクタサブモジュール３６は、凸タイプのコネクタサブモジュール３６ａと、凹タイプのコネクタサブモジュール３６ｂとを含み、これら凸タイプのコネクタサブモジュール３６ａと凹タイプのコネクタサブモジュール３６ｂとは接続可能である。これらコネクタサブモジュール３６ａおよび３６ｂは、パーティション２５ａおよび２５ｂの単位で透光性サブモジュール３０の開口端３９ａおよび３９ｂに取り付けられる蓋を兼ねている。コネクタサブモジュール３６ａまたは３６ｂを透光性サブモジュール３０の開口端３９ａまたは３９ｂにねじ止めすることにより、以下に述べる基板３１あるいはサイドリフレクタサブモジュール３８を含めて、直方体型のモジュール２０を組み立てることができる。以下では、特に説明しない限り、パーティション２５ａおよび２５ｂの単位で、透光性サブモジュール３０の開口端３９ａおよび３９ｂのそれぞれに、異なるタイプのコネクタサブモジュール３６ａまたは３６ｂが取り付け可能であり、同様に、同じタイプのコネクタサブモジュール３６ａのペアまたはサブモジュール３６ｂのペアも取り付け可能である。
【００２７】
凹タイプのコネクタサブモジュール３６ｂの中央は、凸タイプのコネクタサブモジュール３６ａの凸部３６ｃがはめ込まれるように開口３６ｄとなっている。凸タイプのコネクタサブモジュール３６ａは、外面３６ｏの中央が外側に向かって突き出ており、その凸部３６ｃの中央は、後述する接続用の電極３５ｂが通過または現れるように開口３６ｅになっている。したがって、凹タイプのコネクタサブモジュール３６ｂを備えた端部２１ａまたは２１ｂと、凸タイプのコネクタサブモジュール３６ａとを備えた端部２１ｂまたは２１ａとにより複数のモジュール２０を機械的に連結可能である。さらに、機械的に連結された複数のモジュール２０は、開口３６ｅを通して、電気的にも接続される。凹タイプのコネクタサブモジュール３６ｂは、凸タイプのコネクタサブモジュール３６ａの凸部３６ｃを収納できる厚みを備えており、さらに、内側３６ｉに、凸タイプのコネクタサブモジュール３６ａを装着した後に凸部３６ｃとの機械的接続をロックできるようにロック機構３６ｆが設けられている。
【００２８】
例えば、タイプＡの発光ブロック１１Ａでは、端部２１ａおよび２１ｂのそれぞれが、互いに接続可能な異なるタイプのコネクタサブモジュール、すなわち、凸タイプ（雄タイプ）のコネクタサブモジュール３６ａと、凹タイプ（雌タイプ）のコネクタサブモジュール３６ｂとを含んでいる。すなわち、タイプＡの発光ブロック１１Ａでは、透光性サブモジュール３０の上下の端部３９ａおよび３９ｂのそれぞれに、凹タイプのコネクタサブモジュール３６ｂおよび凸タイプのコネクタサブモジュール３６ａが１つずつ取りつけられている。上側の凹タイプのコネクタサブモジュール３６ｂと下側の凹タイプのコネクタサブモジュール３６ｂとは、左右同じ側に設けられており、同様に、上側の凸タイプのコネクタサブモジュール３６ａと下側の凸タイプのコネクタサブモジュール３６ａとは左右同じ側に設けられている。また、タイプＡの発光ブロック１１Ａでは、接続用基板３１が一方の端部、例えば、下側の端部２１ｂにのみ配置されている。タイプＡの発光ブロック１１Ａは、上下および左右を逆転して使うことが可能であり、その場合は、接続用基板３１は上方の端部２１ａに位置する。
【００２９】
接続用基板３１は、図５に示すように、他のタイプの発光ブロックのモジュール２０においては、透光性サブモジュール３０の上端３９ａおよび下端３９ｂの両方に取り付けることも可能である。接続用基板３１は、２つのパーティション２５ａおよび２５ｂにわたるサイズであり、１つの接続用基板３１を、２つのコネクタサブモジュール３６ａおよび３６ｂにより、透光性サブモジュール３０の下端の開口３９ｂに取り付けている。１つの接続用基板３１を、同じタイプのコネクタサブモジュール３６ａのペア、または３６ｂのペアにより、透光性サブモジュール３０の下端の開口３９ｂに取り付けることにより、他のタイプの発光ブロックを提供できる。
【００３０】
タイプＡの発光ブロック１１Ａで用いられる接続用基板３１の内面３１ｉには、２つのＬＥＤモジュール（ＬＥＤユニット）２９が取り付けられている。それぞれのＬＥＤモジュール２９は、２つのパーティション２５ａおよび２５ｂのほぼ中央に相当する位置に配置されており、２つのパーティション２５ａおよび２５ｂをそれぞれ点灯する光源となる。ＬＥＤモジュール２９は、ＲＧＢ各色の発光ダイオード（ＬＥＤ）を適当な数だけ備えており、１つのＬＥＤモジュール（発光ユニット）２９によりマルチカラー（フルカラー）の光を出力できる。接続用基板３１の内面３１ｉは、反射処理がなされており、例えば、基板３１の内面３１ｉは白色に塗られている。
【００３１】
タイプＡの発光ブロック１１Ａで用いられる接続用基板３１では、その外面３１ｏに、凸型（雄型）の電極（端子ユニット）３５ａと、平型（雌型）の電極（端子ユニット）３５ｂと、これらの電極３５ａおよび３５ｂを接続する内部配線（不図示）とが設けられている。内部配線には、２つのＬＥＤモジュール２９も接続されている。接続用基板３１は、モジュール２０に接続される他の複数の、典型的には２つのモジュール２０を電気的に接続する機能と、自身が備えるＬＥＤモジュール２９に電力および制御信号を伝達し、ＬＥＤモジュール２９を駆動して発光させる機能とを含む。
【００３２】
接続用基板３１は、コネクタサブモジュール３６と透光性サブモジュール３０との間に取り付けられている。接続用基板３１を透光性サブモジュール３０に取り付けると、これらの電極（端子ユニット）３５ａおよび３５ｂはパーティション２５ａおよび２５ｂのそれぞれほぼ中央に配置される。凸型の電極３５ａは、複数の接続ピンが突き出た構成となっており、平型の電極３５ｂは、複数のパッドがマトリクス状に配置された構成となっている。上述のように、コネクタサブモジュール３６ａは、端子ユニット３５ａが外側に現れる開口３６ｅを有しており、コネクタサブモジュール３６ｂは、端子ユニット３５ｂが外側に現れる開口３６ｄを有している。このため、コネクタサブモジュール３６ａおよび３６ｂにより、複数の発光ブロックのモジュール２０を機械的に接続すると、凸型の電極３５ａが、凸型のコネクタサブモジュール３６ａの中央の開口３６ｅを通過して、平型の電極３５ｂと接触し、複数の発光ブロック１１の間で電気的な接続が成立する。すなわち、発光ブロック１１は、この発光ブロック１１のコネクタサブモジュール３６により機械的に接続される複数の他の発光ブロック１１の少なくとも一部との間で、基板３１を介して電気的に接続される。
【００３３】
また、タイプＡの発光ブロック１１Ａでは、透光性サブモジュール３０の上端３９ａに、２つのサイドリフレクタサブモジュール３８が、それぞれ、凸型のコネクタサブモジュール３６ａと、凹型のコネクタサブモジュール３６ｂとにより取り付けられている。サイドリフレクタサブモジュール３８は、図５に示すように、接続用基板３１の代わりに取り付けることが可能なものである。サイドリフレクタサブモジュール３８は、区画（パーティション）単位のサイズであり、コネクタサブモジュール３６ａおよび３６ｂのいずれによっても、透光性サブモジュール３０の上端の開口３９ａに取り付けることができる。したがって、他のタイプのモジュール２０においては、パーティション単位でサイドリフレクタサブモジュール３８の取りつけを選択でき、コネクタサブモジュール３６ａおよび３６ｂとの組み合わせも自由である。このため、サイドリフレクタサブモジュール３８をパーティション単位で透光性サブモジュール３０の下端３９ｂにも取り付けることが可能である。さらに他のタイプのモジュール２０においては、図５に示すように、パーティション単位で、サイドリフレクタサブモジュール３８の代わりに、基板３２または３３を取り付けることも可能である。
【００３４】
サイドリフレクタサブモジュール３８は、中央が開口３８ｃとなり、内面３８ｉの四辺に沿って反射板３８ｍが取り付けられている。したがって、このサイドリフレクタサブモジュール３８を、モジュール２０の上端部２１ａまたは下端部２１ｂに含めることにより、上端部２１ａまたは下端部２１ｂからＬＥＤモジュール２９の光が漏れるのを抑制できる。モジュール２０の上端部２１ａまたは下端部２１ｂが接続用基板３１または他の基板を含んでいる場合、それらの基板により遮光されており、ＬＥＤモジュール２９からの光が外部に漏れることを抑制できる。反射板３８ｍとしては、樹脂の成型品に光沢メッキを行ったもの、アルミ蒸着を行ったもの、またはステンレス光沢材や光沢シールをプレスで打ちぬいたものなどを用いることができる。
【００３５】
コネクタサブモジュール３６ａまたは３６ｂ自体が遮光性（光を反射する場合も含む）であってもよい。しかしながら、発光ブロック１１が表示装置１の端部または辺を構成する場合、コネクタサブモジュール３６ａまたは３６ｂ自体は透光性にして、透光性のカバーをコネクタサブモジュール３６ａまたは３６ｂに取り付けるようにするとよい。表示装置１の端部から外向きに（３次元方向に）光を放出でき、より立体的な表示装置を形成できる。
【００３６】
一方、発光ブロック１１が表示装置１の中間的なポジションにあると、発光ブロック１１の上端部２１ａまたは下端部２１ｂが接続用基板３１を含んでいない場合は、透光性のコネクタサブモジュール３６ａまたは３６ｂから上方または下方に接続された発光ブロック１１のモジュール２０内に光が漏れ出し、互いに隣り合う発光ブロック１１の間で混色が起こる場合がある。このような場合には、サイドリフレクタサブモジュール３８を装着することにより、上下の発光ブロック１１への光の漏れ出しを抑制できる。
【００３７】
さらに、タイプＡの発光ブロック１１Ａでは、基板が取り付けられていない上端部２１ａの凸タイプのコネクタサブモジュール３６ａの開口３６ｅに反射板となるセンターリフレクタサブモジュール３７が装着されている。センターリフレクタサブモジュール３７は、上下が反射面３７ｍとなっており、さらに上下の端が切頂正方形（ほぼ８角形）の取付フランジ３７ａとなっている。凸タイプのコネクタサブモジュール３６ａの開口３６ｅも、取付フランジ３７ａとほぼ同じ切頂正方形である。センターリフレクタサブモジュール３７を、凸部３６ｃの開口３６ｅに挿入し４５度回転することにより、センターリフレクタサブモジュール３７を凸タイプのコネクタサブモジュール３６ａに固定できる。したがって、基板が取り付けられていない発光ブロック１１の端部においても、コネクタサブモジュール３６ａの凸部３６ｃの開口３６ｅからの光の漏出を抑制できる。
【００３８】
凸タイプのコネクタサブモジュール３６ａは、凹タイプのコネクタサブモジュール３６ｂと組み合わされるので、センターリフレクタサブモジュール３７により、基板が設けられていない端部であって凹タイプのコネクタサブモジュール３６ｂが取り付けられている場合も、その端部からの光の漏出を抑制できる。サイドリフレクタサブモジュール３８の開口３８ｃには、回転ロック用の突起３８ｄが設けられている。センターリフレクタサブモジュール３７を４５度回転すると、取付フランジ３７ａの凹み３７ｂと突起３８ｄとが係合し、センターリフレクタサブモジュール３７の動きをロックする。
【００３９】
図５に示すように、モジュール２０の上端部２１ａまたは下端部２１ｂには、他のサブモジュールを含めることができ、発光ブロック１１の端部の構成を変えることができる。まず、接続用基板３１に代わり、信号を入力するための端子３３ｔを備えたスタート用の基板３３を含めることもできる。スタート用の基板３３を含む異なるタイプの発光ブロック１１においては、透光性サブモジュール３０の反対側の端部に配置される接続用基板３１と、スタート用基板３３および接続用基板３１とをつなぐように透光性サブモジュール３０の内部を上下に走る接続用電極３５ｃと組み合わされて用いられる。
【００４０】
接続用基板３１の代わりに、上端部２１ａまたは下端部２１ｂに、パーティション単位のサイズの接続用基板３２を含めることも可能である。接続用基板３２は、例えば、エンド用の基板としても用いることができる。基板３２は、外面３２ｏに凸型の電極３５ａを備えた基板３２ａと、外面３２ｏに平型の電極３５ｂを備えた基板３２ｂとがある。これら基板３２ａおよび３２ｂをエンド用の基板として用いる場合、基板３２ａおよび３２ｂは、ディージーチェーン接続の終端（ターミネータ）としての機能を含む。さらに、接続用基板３１の代わりに、上端部２１ａまたは下端部２１ｂに、ＬＥＤモジュールを備えていない基板３４を含めることも可能である。この基板３４を含むタイプの発光ブロック１１においては、上端部２１ａまたは下端部２１ｂは、当該モジュール２０を点灯させるためではなく、他の複数の発光ブロック１１と機械的および電気的に接続するためだけに使用される。基板３４は、典型的には、凸型の電極３５ａまたは凹型の電極３５ｂを含む。また、発光ブロック１１のタイプによっては、センターリフレクタサブモジュール３７、およびサイドリフレクタサブモジュール３８は、省略される。
【００４１】
このように、本例の発光ブロック１１においては、ブロックの端部を構成するコネクタサブモジュール３６は、ブロックの中心部を構成する透光性サブモジュール３０に着脱可能に取り付けられている。このため、凸タイプ（雄タイプ）のコネクタサブモジュール３６ａと、凹タイプ（雌タイプ）のコネクタサブモジュール３６ｂとを交換して取り付けることができる。すなわち、異なるタイプの発光ブロックにおいては、タイプＡの発光ブロック１１Ａにおいて、一方の端部、例えば端部２１ａの凸タイプのコネクタサブモジュール３６ａの取付位置と、凹タイプのコネクタサブモジュール３６ｂの取付位置とを交換しても良く、また、凹タイプのコネクタサブモジュール３６ｂを凸タイプのコネクタサブモジュール３６ａに変えて両方を凸タイプのコネクタサブモジュール３６ａにしても良く、さらに、凸タイプのコネクタサブモジュール３６ａを凹タイプのコネクタサブモジュール３６ｂに変えて両方を凹タイプのコネクタサブモジュール３６ｂにしても良い。他方の端部２１ｂについても同様であり、さらに、凸タイプのコネクタサブモジュール３６ａおよび凹タイプのコネクタサブモジュール３６ｂを、上下に同数設ける必要はなく、組み合わせを任意に選択できる。
【００４２】
本例の発光ブロック１１においては、ブロックの端部に含まれる接続用電極３５ａおよび３５ｂの配置についてはさらに自由度が高い。種々の基板をコネクタサブモジュール３６ａおよび３６ｂにより挟み込むように透光性サブモジュール３０に固定することができ、さらに、基板を挟まなくてもコネクタサブモジュール３６ａおよび３６ｂを透光性サブモジュール３０に取りつけることができるからである。両方の端部２１ａおよび２１ｂに接続用電極３５ａおよび／または３５ｂを配置して、両方の端部２１ａおよび２１ｂにより上下に機械的に接続される発光ブロック１１と電気的に接続できるようにしても良く、一方の端部２１ａまたは２１ｂにのみ接続用電極３５ａおよび／または３５ｂを配置して、上下に機械的に接続される発光ブロック１１の上側または下側の２つの発光ブロックとのみ電気的に接続できるようにしても良い。さらには、一方のパーティション２５ａまたは２５ｂの端部にのみ基板を配置して、上下に機械的に接続される発光ブロック１１の上側または下側の２つの発光ブロックと、逆側の１つの発光ブロックとのみ電気的に接続できるようにしても良い。雄型の電極３５ａと、雌型の電極３５ｂとの配置も自由に選択できる。
【００４３】
また、発光ブロック１１のモジュール２０の周壁２２ａ〜２２ｄの少なくとも１つは、表示装置１または異なる形状の表示装置を形成する際に、他の発光ブロック１１の周壁２２ａ〜２２ｄの一部と面で接するコンタクト壁部となる。周壁２２ａ〜２２ｄの外面は垂直で平坦な面になっており、隣接して配置される他の発光ブロック１１の周壁２２ａ〜２２ｄの外面とは、部分的にほぼ面と面とが接する状態になる。互いに隣り合う画素における光学的クロストーク（混色）を抑制するために、周壁２２ａ〜２２ｄの外面の少なくとも１つに、典型的な遮光性部材である粘着性の反射シートや有色（例えば黒色）の遮光シートを着脱可能に取り付けてもよい。反射シートは、例えば、アルミニウムシートなどの金属製の薄膜、金属コーティングされた樹脂薄膜である。繰り返し貼ることができる粘着性を備えたシートであることが望ましい。
【００４４】
直方体状の透光性サブモジュール３０の内部を２つのパーティション２５ａおよび２５ｂに区切る補助壁３０ｂの面に、反射シートや有色（例えば黒色）の遮光シートを着脱可能に取り付けてもよい。補助壁３０ｂを遮光性にすることにより、２つのパーティション２５ａおよび２５ｂを光学的にも分離できる。したがって、発光ブロック１１は、独立した２つの画素を、より鮮明に表示できる。
【００４５】
透光性サブモジュール３０の周壁および補助壁のすべてにダイヤカット（ダイヤモンドカット）を採用してもよい。適当な角度の面を備えたダイヤモンドカットを周壁に導入することにより、すべての周壁において、内からの光は透過し、外からの光は反射する特性を与えることができる。この場合、反射シールや遮光シールを貼らなくても、発光ブロック同士が対面するコンタクト壁における遮光性能を付与できる。
【００４６】
図６は、図１の表示装置を形成するために用いられる、全体が略立方体型の発光ブロック１２の一例を斜視図により示している。図７は、図６の立方体型の発光ブロック１２を展開図（分解斜視図）により示している。
【００４７】
立方体型の発光ブロック１２は、表示装置を組み立てる際に、直方体型の発光ブロック１１だけでは形成できない部分を補完的に形成し、接続するために用いられる。立方体型の発光ブロック１２は、中空で外形が立方体のモジュール５０を有する。このモジュール５０は、立方体状で上方および下方が開口端５６ａおよび５６ｂとなった透光性サブモジュール５５を含んでいる。開口端５６ａおよび５６ｂには、図５に示した上端部２１ａおよび下端部２１ｂを構成する種々のサブモジュールを装着することが可能である。
【００４８】
図６および図７に示したタイプＸの発光ブロック１２Ｘの下端部５１ｂは、ＬＥＤモジュールを備えていない接続用基板３４と、凹型のコネクタサブモジュール３６ｂとを含んでいる。上端部５１ａは、内面４１ｉにＬＥＤモジュール（不図示）２９を備え、外面４１ｏに凸型の電極３５ａを備えた接続用基板４１と、凸型のコネクタサブモジュール３６ａとを含んでいる。透光性サブモジュール５５の四隅には、上下に延びた配線（接続用電極、電気接続ワイヤー）３５ｃが配置されており、上端部５１ａの基板４１と、下端部５１ｂの基板３４とが電気的に接続されている。この発光ブロック１２は、１画素分の光を出力する機能と、下側に機械的に接続される発光ブロック１１および上側に機械的に接続される発光ブロック１１を電気的にも接続する機能とを備えている。
【００４９】
この発光ブロック１２の周壁５７ａ〜５７ｄのうちの少なくとも１つの壁もコンタクト壁であって、それらの周壁の外面も垂直な平坦な面となっており、反射シートや遮光シートを貼ったり剥したりすることができるようになっている。
【００５０】
図８（ａ）〜（ｄ）は、それぞれ、表示装置の端を形成するために用いられるカバーユニットの例を示している。図９は、カバーユニットを構成する部材を展開図（分解斜視図）により示している。
【００５１】
各カバーユニット１０１Ａ〜１０１Ｄは、表示装置を組み立てる際に、各タイプの発光ブロック１１および１２の上部および下部を塞ぐ（カバーする）ために用いられる。図８（ａ）のカバーユニット１０１Ａは、凹型のコネクタサブモジュール３６ｂを含む発光ブロック１１および１２の端部をカバーするために用いられるものであり、凸型のコネクタサブモジュール３６ａと、透光性で全体が正方形のカバー部材１０５とを備えている。図８（ｂ）のカバーユニット１０１Ｂは、凸型のコネクタサブモジュール３６ａを含む発光ブロック１１および１２の端部をカバーするために用いられるものであり、凹型のコネクタサブモジュール３６ｂとカバー部材１０５とを含んでいる。これらのカバーユニット１０１Ａおよび１０１Ｂを装着することにより、発光ブロック１１および１２の上端部および／または下端部を発光面（画素）として利用することができる。
【００５２】
図８（ｃ）のカバーユニット１０１Ｃは、エンドモジュールであり、外面１０６ｏに凸型（雄型）の電極（端子ユニット）３５ａが設けられたエンド用の基板１０６と、凸型のコネクタサブモジュール３６ａと、カバー部材１０５とを含んでいる。凹型のコネクタサブモジュール３６ｂを含む発光ブロック１１および１２の端部をカバーする場所に用いられる。図８（ｄ）のカバーユニット１０１Ｄは、スタートモジュールであり、信号を入力するための端子３３ｔが設けられているとともに外面１０７ｏに凹型（雌型）の電極（端子ユニット）３５ｂが設けられたスタート用の基板１０７と、凹型のコネクタサブモジュール３６ｂと、カバー部材１０５とを含んでいる。凸型のコネクタサブモジュール３６ａを含む発光ブロック１１および１２の端部をカバーするために用いられる。これらのカバーユニット１０１Ｃおよび１０１Ｄは、基板を含んでいるために遮光性である。
【００５３】
なお、カバーユニット１０１は、上記に限定されるものではない。基板と、コネクタサブモジュールとを選択することにより、凹型のコネクタサブモジュール３６ｂを含む発光ブロック１１および１２の端部に取り付けるスタートモジュールを構成したり、凸型のコネクタサブモジュール３６ａを含む発光ブロック１１および１２の端部に取り付けるエンドモジュールを構成することも可能である。図９は、カバーユニットを構成する部材を展開図（分解斜視図）により示している。カバーユニット１０１は、ボルト３０ｄとナット３０ｅとにより組み立てられている。図９に示すように、種々の組み合わせにより、種々のバリエーションのカバーユニット１０１を得ることができる。
【００５４】
図１０（ａ）は、カバーユニットの他の例を斜視図により示している。図１０（ｂ）は、図１０（ａ）のカバーユニットに設けられた基板を抜き出して示している。図１０に示すカバーユニット１０１Ｅは、立方体型の発光ブロック１２の２つの端部を同時にカバーしたり、直方体型の発光ブロック１１の端部を一括でカバーすることができるユニットである。
【００５５】
このカバーユニット１０１Ｅは、凸型（雄型）の電極（端子ユニット）３５ａと、平型（雌型）の電極（端子ユニット）３５ｂと、これらの電極３５ａおよび３５ｂを接続する内部配線（不図示）とが設けられている接続用基板１０８を含んでいる。また、このカバーユニット１０１Ｅは、凸型のコネクタサブモジュール３６ａと、凹型のコネクタサブモジュール３６ｂと、２枚のカバー部材１０５とを含んでいる。基板１０８は、コネクタサブモジュール３６ａおよび３６ｂと、カバー部材１０５とにより挟まれている。したがって、このカバーユニット１０１Ｅにより、２の発光ブロック１１を機械的および電気的に接続することも可能である。
【００５６】
図１１および図１２は、図１および図２に示した表示装置１を形成するための発光ブロック１１および１２の組み立て例を示している。図１２は、図１の表示装置の図１１の部分の骨格をスケルトンで示している。すなわち、図１２は、接続の様子を示すために、各発光ブロック１１および１２の透光性サブモジュール３０および５５を省略して示している。
【００５７】
図１に示した表示装置１は、発光ブロック１１および１２が上下４段に積み重ねられている。上方の２段の表示部と、下方の２段の表示部はほぼ同じ構成になっているため、下方の２段を抜き出して図１１および図１２に示している。なお、下方の２段の表示部のスタートモジュールおよびエンドモジュールは、カバーユニット１０１Ｄおよび１０１Ｃに含まれているが、上方２段の表示部のスタートモジュールとエンドモジュールは、下方の２段の表示部を構成する発光ブロック（タイプＢの発光ブロック１１ＢおよびタイプＣの発光ブロック１１Ｃ）のモジュール２０に含まれている。
【００５８】
最下段６１は、カバーユニットを含む基盤モジュール６１である。基盤モジュール６１では、図面左型から、スタート用カバーユニット１０１Ｄ、凹型カバーユニット１０１Ｂ、凸型カバーユニット１０１Ａ、凹型カバーユニット１０１Ｂ、凸型カバーユニット１０１Ａ、エンド用カバーユニット１０１Ｃが順番に所定の向きで配置されている。
【００５９】
基盤モジュール６１の上には、図面左側から、タイプＸの立方体型の発光ブロック１２Ｘ、タイプＡの直方体型の発光ブロック１１Ａ、直方体型の発光ブロック１１Ａ、立方体型の発光ブロック１２Ｘが順番に所定の向きで接続されており、一段目の表示列６５を形成している。この表示列６５は、図１１に示すように、６画素（（１）〜（６））を表示できる。
【００６０】
一段目の表示列６５の上には、図面左側から、タイプＢの直方体型の発光ブロック（上方の２段の表示部のスタートモジュールを含む発光ブロック）１１Ｂ、タイプＡの直方体型の発光ブロック１１Ａ、タイプＣの直方体型の発光ブロック（上方の２段の表示部のエンドモジュールを含む発光ブロック）１１Ｃが順番に所定の向きで接続されており、二段目の表示列６６を形成している。この２段目の表示列６６も、図１１に示すように、６画素（（７）〜（１２））を表示できる。
【００６１】
なお、１段目の表示列６５と２段目の表示列６６との間で電気的な接続を得るために、１段目の表示列６５では、直方体型の発光ブロック１１Ａを、基板３１を上側にして配置しており、２段目の表示列６５では、直方体型の発光ブロック１１Ａを、基板３１を下側にして配置している。
【００６２】
図１２に示すように、一段目の表示列６５を構成する左側の立方体型の発光ブロック１２Ｘ（１２Ｘａ）は、上端部５１ａおよび下端部５１ｂに、基板３４および４１を含む。一段目の表示列６５を構成する左側の発光ブロック１１Ａ（１１Ａｈ）および右側の発光ブロック１１Ａ（１１Ａｉ）は、それぞれ、上端部２１ａに接続用基板３１を含む。一段目の表示列６５を構成する左側の立方体型の立方体型の発光ブロック１２Ｘ（１２Ｘｂ）は、上端部５１ａおよび下端部５１ｂに、基板４１および３４をそれぞれ含む。二段目の表示列６６を構成する発光ブロック１１Ｂｊ、１１Ａｋ、および１１Ｃｍは、それぞれ、下端部２１ｂに接続用基板３１を含む。
【００６３】
図１１に「（ｏｕｔ）」および「（ｉｎ）」で示すように、これら一段目６５および二段目６６の発光ブロック１１（１１Ａｈ、１１Ａｉ、１１Ｂｊ、１１Ａｋ、１１Ｃｍ）および１２（１２Ｘａ、１２Ｘｂ）は、ディージーチェーンを成すように直列に電気的に接続されている。すなわち、一段目の発光ブロック１２Ｘａをスタートとし、二段目の発光ブロック１１Ｂｊ、一段目の発光ブロック１１Ａｈ、二段目の発光ブロック１１Ａｋ、一段目の発光ブロック１１Ａｉ、二段目の発光ブロック１１Ｃｍ、さらに一段目の発光ブロック１２Ｘｂというように、上下ジグザグに接続されている。画素の番号で示すと、１−７−８−２−３−９−１０−４−５−１１−１２−６というように、電気的な接続が形成される。
【００６４】
また、機械的にも、これら一段目６５および二段目６６の発光ブロック１１および１２は、電気的な接続と同じように、上下ジグザグに接続されている。すなわち、これら一段目６５および二段目６６の発光ブロック１１および１２は、上下二段を構成するように機械的に接続することにより、電気的にも接続され、これらの発光ブロック１１および１２に含まれる１２画素分のＬＥＤユニット２９は直列に接続される。そして、一段目６５と二段目６６との境界は、接続用基板３１により遮光される。
【００６５】
また、発光ブロック１１Ａｈ、１１Ａｉ、１１Ａｋ、１１Ｂｊ、１１Ｃｍ、１２Ｘａ、および１２Ｘｂが左右に接する面には、反射シート（不図示）が貼り付けられており、発光ブロック同士の間も遮光される。さらに、直方体型の発光ブロック１１においてパーティション２５ａおよび２５ｂを分割する補助壁３０ｂにも、反射シート（不図示）が貼り付けられており、それぞれのパーティション２５ａおよび２５ｂも遮光される。
【００６６】
したがって、これらの発光ブロック１１および１２に含まれる１２画素分のＬＥＤユニット２９は、上下左右に隣接するＬＥＤユニット２９からの光が遮蔽された環境で発光し、それらのＬＥＤユニット２９からの光が表示装置１から出力される。このため、表示装置１により、鮮明な画像を表示できる。
【００６７】
二段目６６の発光ブロック１１Ｂｊ、１１Ａｋ、および１１Ｃｍの上端部２１ａは、上側に取り付けられる上段の発光ブロック１１および１２の基盤モジュールを兼ねている。したがって、左端に配置されたタイプＢの発光ブロック１１Ｂｊは、上端部にスタートターミナル３３ｔを備えた基板１０９を含んでおり、右端に配置されたタイプＣの発光ブロック１１Ｃｍは、上端部にエンドターミナルを備えた基板１１０を含んでいる。
【００６８】
このように、互いに左右に隣り合うように配置された発光ブロックは、それぞれの発光ブロックの上方および／または下方に配置されたコネクタサブモジュール３６ａおよび３６ｂにより、それぞれの発光ブロックの上方および／または下方に他の発光ブロックと機械的に接続される。そして、互いに隣り合うように左右に配置された発光ブロックは、機械的には直に接続されないが、上方および／または下方に他の発光ブロックを介して、隣接した状態で配置され、位置決めされる。また、互いに隣り合うように左右に配置された発光ブロックは、機械的にも電気的にも、直には接続されないが、上方および／または下方に他の発光ブロックを介して、機械的にも電気的にも接続される。なお、図１１および図１２に示した複数の発光ブロックのアレンジは、フラットパネル型の表示装置１を形成する組み合わせの一例に過ぎない。
【００６９】
図１３は、複数の発光ブロック（発光用ブロック）により形成された立体（多面体）状の表示装置の一例を示している。図１４は、図１３の表示装置を組み立てる際に用いられる発光ブロックの１つを示している。図１５は、図１３の表示装置を展開図（分解斜視図）により示している。図１３に示す表示装置２は、複数の発光ブロック１０が３次元的に組み合わされて立体（多面体）をなしたキュービックタイプであり、キュービックの表側が表示壁体５となっている。
【００７０】
この表示装置２は、１２個の直方体型の発光ブロック１１と、３個の立方体型の発光ブロック１２により構成されている。表示装置２は、底面を除くと、前後左右および上面の５つの表示壁面５を備えており、それぞれの表示壁面５は、３×３画素の画像を表示できる。表示装置２は、下側から一段目７１、二段目７２および三段目７３の三層構造になっている。一段目７１および三段目７３に用いられる直方体型の発光ブロック１１は、図３などに示したタイプＡの発光ブロック１１Ａであるが、二段目に用いられる発光ブロック１１は、図１４に示したタイプＤの発光ブロック１１Ｄである。
【００７１】
タイプＤの発光ブロック１１Ｄでは、透光性サブモジュール３０の上下の端部３９ａおよび３９ｂのそれぞれに、凹タイプのコネクタサブモジュール３６ｂおよび凸タイプのコネクタサブモジュール３６ａが１つずつ、ジグザグ（千鳥状）に配置されている。すなわち、上下では、凸タイプのコネクタサブモジュール３６ａと凹タイプのコネクタサブモジュール３６ｂとが対向するように設けられている。また、タイプＤの発光ブロック１１Ｄでは、接続用基板３１が上側の端部２１ａと下側の端部２１ｂとに配置されている。
【００７２】
一段目７１は、タイプＸの立方体型の発光ブロック１２Ｘｃと、タイプＡの直方体型の発光ブロック１１Ａｎ〜１１Ａｑとにより構成されている。二段目７２は、タイプＤの直方体型の発光ブロック１１Ｄｒ〜１１Ｄｕと、タイプＸの立方体型の発光ブロック１２Ｘｄとにより構成されている。三段目７３は、タイプＡの直方体ブロック１１Ａｖ〜１１Ａｙと、タイプＸの立方体型の発光ブロック１２Ｘｅとにより構成されている。
【００７３】
これらの発光ブロックの電気的および機械的な接続は、次のようになっている。一段目７１の立方体型の発光ブロック１２Ｘｃがスタートブロックであり、二段目７２の直方体型の発光ブロック１１Ｄｒに接続されている。二段目７２の直方体型の発光ブロック１１Ｄｒからは順番に、一段目７１の直方体型の発光ブロック１１Ａｎ、二段目７２の直方体型の発光ブロック１１Ｄｓ、一段目７１の直方体型の発光ブロック１１Ａｏ、二段目７２の直方体型の発光ブロック１１Ｄｔ、一段目７１の直方体型の発光ブロック１１Ａｐ、二段目７２の直方体型の発光ブロック１１Ｄｕ、一段目７１の直方体型の発光ブロック１１Ａｑ、二段目７２の立方体型の発光ブロック１２Ｘｄと接続されている。キュービックの中央の二段目７２の立方体型の発光ブロック１２Ｘｄは、電気的には二段目７２から三段目７３の発光ブロックへの連絡（連結）ブロックとなっている。
【００７４】
二段目７２と三段目７３との接続は、二段目７２の立方体型の発光ブロック１２Ｘｄに三段目７３の直方体型の発光ブロック１１Ａｖが接続され、以降は順番に、二段目７２の直方体型の発光ブロック１１Ｄｒ、三段目７３の直方体型の発光ブロック１１Ａｗ、二段目７２の直方体型の発光ブロック１１Ｄｕ、三段目７３の直方体型の発光ブロック１１Ａｘ、二段目７２の直方体型の発光ブロック１１Ｄｔ、三段目７３の直方体型の発光ブロック１１Ａｙ、二段目７２の直方体型の発光ブロック１１Ｄｓ、三段目７３の立方体型の発光ブロック１２Ｘｅと接続されている。三段目７３の立方体型の発光ブロック１２Ｘｅは、エンドブロックである。
【００７５】
上記に説明した接続により、電気的に１２個の直方体型の発光ブロック１１Ａｎ〜１１Ａｑ、１１Ｄｒ〜１１Ｄｕ、１１Ａｖ〜１１Ａｙと、３個の立方体型の発光ブロック１２Ｘｃ〜１２Ｘｅとに含まれる２７個のＬＥＤユニット２９が直列に接続された状態となる。キュービック型の表示装置２の中央に配置される発光ブロック１２Ｘｄと、直方体型の発光ブロック１１Ａｑの一方のパーティションは上段への連絡用であり、ＬＥＤユニット２９を含まない基板３４を設けてもよい。その場合は、ＬＥＤユニット２９を含まない基板３４を挟んで、２５個のＬＥＤユニット２９が直列にディージーチェーンで接続される。したがって、それぞれのＬＥＤユニット２９により出力する画像信号をシリアルで供給し、適当なタイミングでＬＥＤユニット２９の単位でラッチしてパラレル変換し、ＬＥＤユニット２９を点灯することにより、所望の画像をキュービック型の表示装置２の表面に出力することができる。
【００７６】
このように配置される直方体型の発光ブロック１１Ａｎ〜１１Ａｑ、１１Ｄｒ〜１１Ｄｕ、１１Ａｖ〜１１Ａｙおよび３個の立方体型の発光ブロック１２Ｘｃ〜１２Ｘｅにおいて、一段目７１、二段目７２および三段目７３に配置される発光ブロック同士の境界は、接続用基板３１により遮光される。直方体型の発光ブロックおよび立方体型の発光ブロックの周壁であって、他の発光ブロックの周壁と対面するコンタクト壁には、その外面の一方に反射シールを貼ることにより遮光できる。また、パーティション２５ａおよび２５ｂの間は遮光されている。したがって、５つの表示壁面５のそれぞれにおいて、表示される画素同士の間は遮光された状態となり、干渉またはクロストークが発生することを未然に防止できる。このため、すべての表示壁面５において、鮮明な画像を表示することができる。
【００７７】
これらの表示装置１および２は、複数の発光ブロック１１および１２や、複数のカバーユニット１０１Ａ〜１０１Ｄなどを用い、それらのうちの一部をスタートモジュールとし、パーソナルコンピュータなどのホスト装置と電気的にシリーズにつなげて、最後にエンドモジュールにより信号を折り返すことにより、ホスト装置から提供される画像信号をシリアル―パラレル変換して表示するようになっている。そして、各タイプの発光ブロック１１および１２は、凸型のコネクタサブモジュール３６ａと凹型のコネクタサブモジュール３６ｂとを備えており、典型的には、透光性サブモジュール３０および５５は共通しており、端部２１ａおよび２１ｂの構成は、コネクタサブモジュール３６と電極３５とを変えることにより、表示装置１および２の形態に合わせて変えることができる。したがって、表示装置として最適な場所にスタートモジュールとして機能するタイプの発光ブロックを配置でき、また、シリーズ配線（ディージーチェーン）を構成する場所にエンドモジュールとして機能するタイプの発光ブロックを配置でき、そして、それらの間に機械的および電気的に種々の結合形態を備えたミドルモジュールとして機能する発光ブロックを配置できる。ミドルモジュールとして機能する発光ブロックには、下に位置する発光ブロックの基板と、上に位置する発光ブロックの基板とを、ワイヤー（ハーネス）３５ｃを介して、電気的にも接続できるようになっているタイプも含まれる。
【００７８】
特に、上方および下方のそれぞれにおいて、それぞれ２つの発光ブロック１１とジグザグ（千鳥状）に接続できる直方体型の発光ブロック１１と、ジグザグに接続される端をカバーする立方体型の発光ブロック１２との組み合わせは、２次元または３次元に広がりのある表示装置１または２を簡単に形成する発光ブロックの組み合わせとして最も簡易なものである。この他の発光ブロックであっても、偶数個の発光ブロックを接続できる発光ブロックと、奇数個の発光ブロックを接続できる発光ブロックとを組み合わせることにより、立方体、直方体、他の多面体を含む２次元あるいは３次元の表示装置を形成することができる。
【００７９】
いずれの発光ブロックにおいても、上下方向に他の発光ブロックを機械的に接続するための複数のコネクタサブモジュール３６は、ベースである透光性サブモジュール３０に着脱可能に取り付けることにより、透光性サブモジュール３０に対し交換可能とすることが望ましい。なお、この明細書において、上下方向とは、他の発光ブロックを接続できる方向を示し、発光ブロックの向きによっては他の方向と置換できることはすでに説明したとおりである。このような構成の発光ブロックは、共通のベースとなる透光性サブモジュール３０に対し、互いに接続可能な異なるタイプのコネクタサブモジュール３６を自在に組み合わせて１つのモジュール２０にできるので、接続環境に合わせて種々のタイプ（バリエーション）の発光ブロックを形成し、提供することができる。種々な形状の発光ブロックが得られるため、これらの発光ブロックを用いて、２次元および／または３次元的に広がりを持つ種々の形状の表示装置を形成することができる。
【００８０】
さらに、上記の発光ブロックでは、互いに接続可能な異なるタイプの電気的な接続用の端子３５を含む種々の基板を、機械的な接続環境を提供するコネクタサブモジュール３６とは別のサブモジュールとして提供し、ベースサブモジュールである透光性サブモジュール３０に対してコネクタサブモジュール３６を取り付けるときに、合わせて取り付けることができるようにしている。このため、電気的な接続環境を提供する端子モジュール３５と、機械的な接続環境を提供するコネクタサブモジュール３６とを、同時に、しかも別々に、交換あるいは置換することができる。このため、サブモジュールの種類を大幅に増やすことなく、機械的な接続および電気的な接続の両方の機能について、種々の接続環境に合わせられる種々のタイプの発光ブロックを容易に形成でき、提供することができる。また、機械的な接続のみで、電気的な接続が必要ない端部においては、基板を省略することができるので、発光ブロックに無用なリソースを用意する必要はなく、経済的にも優れた発光ブロックを提供できる。
【００８１】
また、発光ブロック１１および１２は、所望の形状の表示装置を組み立てた後、凹型コネクタサブモジュール３６ｂのロック機構３６ｆを用いて機械的な接続をロックすることができる。したがって、ある程度の強度を備えた構造物を兼ねた表示装置を提供することができる。他の適当な構造部材により表示装置を補強等により、表示装置を兼ねた構造物の強度を向上することも容易である。一方、ロック機構３６ｆを解除することにより、表示装置の組み立てに用いた複数の発光ブロック１１および１２は簡単に分解できる。したがって、運搬、設置、撤収が非常に容易である。そして、分解された発光ブロック１１および１２は、他の表示装置を形成するために何度でも再利用できる。
【００８２】
さらに、これら複数の発光ブロック１１および１２は、個々に汎用性が高いので、代替えが可能であり、表示装置の形状にかかわらず量産し提供することができる。特に、上述した発光ブロック１１および１２は、共通のサブモジュールの組み立て体となっており、サブモジュールの組み合わせを変えるだけで機能の異なる発光ブロック１１および１２をいつでも簡単に用意できる。したがって、発光ブロック１１および１２を低コストで供給でき、さまざまな形状の表示装置を低コストで製造できる。
【００８３】
また、発光ブロック１１および１２は、配線（基板）を内蔵しており、基板は、コネクタサブモジュール３６と透光性サブモジュール３０との間に取り付けられている。したがって、複数の発光ブロック１１および１２を機械的に接続するだけで電気的な接続も完了する。このため、表示装置を組み立てるのと同時に配線も完了し、さらに、配線は表示装置の外に表れない。このため、表示装置の外面すべて、例えば、表裏、上下左右前後の面全てに画像を表示し、見せることができる。そして、発光ブロック１１および１２により形成される各々の画素は、基板、リフレクタサブモジュールおよび反射シートにより、隣接する画素から遮光されるので、基板の存在が外側からさらに認識し難くなるとともに、画素間の光学的干渉、クロストークを防止でき、鮮明な画像を表示できる。特に、白色の基板、リフレクタサブモジュールおよび反射シートといった反射系の遮光手段を用いることにより、発光ブロック１１および１２からの光の出力効率を向上でき、さらに明るい画像を表示できる。反射シールは、貼り直しができるタイプが好ましい。
【００８４】
この発光ブロック１１および１２では、発光ブロック１１Ａのように、基板を透光性サブモジュール３０の上下の端部の一方に配置してもよく、発光ブロック１１Ｄや発光ブロック１２Ｘのように、基板を透光性サブモジュール３０の上下の端部の両方に配置してもよい。透光性サブモジュール３０の上下の端部の少なくとも一方に基板を配置することにより、複数の発光ブロックを、上下方向（縦方向）に電気的に接続することができる。
【００８５】
また、発光ブロック１１のように、透光性サブモジュール３０の上下の端部のそれぞれに複数のコネクタサブモジュール３６が取り付けられている場合、典型的には、ジグザグに接続することにより、２次元的および／または３次元的に広がりを持つ表示装置を得ることができる。すなわち、複数の発光ブロックは、まず、第１の方向、すなわち、上下方向に機械的に連結される。そして、第１の方向に直交する第２の方向、例えば、左右方向には、上下に存在する他の発光ブロックを介して機械的に連結される。このようにすることにより、第２の方向に直に機械的に接続しなくても第２の方向にも広がりのある表示装置を形成することができる。
【００８６】
さらに、発光ブロック１１のように、複数の光源ユニット２９を有する場合、１つの発光ブロックが、複数（本例では２つ）の発光単位（画素）を持つようにすることができる。このようにすることにより、１つの発光ブロックにより実現できる画素数を増加できる。あるいは、解像度の高い画像を表示する表示装置を提供できる。
【００８７】
２画素（２ドット）を表示できる直方体状の発光ブロック１１は、上方および／または下方の発光ブロック１１とストレート接続または直角接続が可能であり、最も簡易な形状で２次元および３次元の表示装置を形成できるものである。以下に、いくつか例について説明する。
【００８８】
図１６は、タイプＣの発光ブロックを斜視図により示している。図１７は、図１６の発光ブロックを展開図（分解斜視図）により示している。
【００８９】
このタイプＣの発光ブロック１１Ｃでは、透光性サブモジュール３０の上端部３９ａに、２つの凸タイプのコネクタサブモジュール３６ａが配置されている。また、透光性サブモジュール３０の下端部３９ｂには、凹タイプのコネクタサブモジュール３６ｂおよび凸タイプのコネクタサブモジュール３６ａが１つずつ配置されている。
【００９０】
タイプＣの発光ブロック１１Ｃは、図１１および１２に示したように、下側の左右に接続される他の発光ブロックを電気的に接続でき、上側に終端用の基板が設置されたタイプである。このため、２つの端子を備えた接続用基板３１が下側の端部２１ｂに配置されている。さらに、上側の端部２１ａには、一方のコネクタサブモジュール３６ａと対応する位置（下側に凹タイプコネクタサブモジュール３６ｂが配置されている側）に、終端用の端子を備えた基板３４が配置されている。上側の端部２１ａの他方のコネクタサブモジュール３６ａと対応する位置（下側に凸タイプコネクタサブモジュール３６ａが配置されている側）には、サイドリフレクタサブモジュール３８が配置されているとともに、センターリフレクタサブモジュール３７が装着されている。
【００９１】
図１８は、タイプＢの発光ブロックを斜視図により示している。図１９は、図１８の発光ブロックを展開図（分解斜視図）により示している。
【００９２】
このタイプＢの発光ブロック１１Ｂでは、透光性サブモジュール３０の上端部３９ａに、２つの凹タイプのコネクタサブモジュール３６ｂが配置されている。また、透光性サブモジュール３０の下端部３９ｂには、凹タイプのコネクタサブモジュール３６ｂおよび凸タイプのコネクタサブモジュール３６ａが１つずつ配置されている。
【００９３】
タイプＢの発光ブロック１１Ｂは、図１１および１２に示したように、下側の左右に接続される他の発光ブロックを電気的に接続でき、上側にスタート用の基板が設置されたタイプである。このため、接続用基板３１が下側の端部２１ｂに配置され、上側の端部２１ａには、一方のコネクタサブモジュール３６ｂと対応する位置（下側に凸タイプコネクタサブモジュール３６ａが配置されている側）に、信号を入力するための端子３３ｔを備えたスタート用の基板３３が配置されている。
【００９４】
図２０は、発光ブロックのさらに他の例を斜視図により示している。図２１は、図２０の発光ブロックを展開図（分解斜視図）により示している。
【００９５】
このタイプＧの発光ブロック１１Ｇでは、透光性サブモジュール３０の上下の端部３９ａおよび３９ｂのそれぞれに、凹タイプのコネクタサブモジュール３６ｂおよび凸タイプのコネクタサブモジュール３６ａが１つずつ配置されている。凹タイプのコネクタサブモジュール３６ｂ同士および凸タイプのコネクタサブモジュール３６ａ同士が上下に並ぶように、左右同じ側に設けられている。
【００９６】
タイプＧの発光ブロック１１Ｇは、下側の左右に接続される他の発光ブロックと、上側に接続される他の発光ブロックとを電気的に接続できるタイプである。このため、２つの端子を備えた接続用基板３１が下側の端部２１ｂに配置されている。さらに、上側の端部２１ａには、凸タイプのコネクタサブモジュール３６ａと対応する位置に、１つの端子を備えた基板３４が配置されている。基板３１と基板３４は、配線（接続用電極、電気接続ワイヤー）３５ｃにより電気的に接続されている。上側の端部２１ａの凹タイプのコネクタサブモジュール３６ｂと対応する位置には、サイドリフレクタサブモジュール３８が配置されている。
【００９７】
図２２は、発光ブロックのさらに他の例を斜視図により示している。図２３は、図２２の発光ブロックの骨格をスケルトンにして示している。図２４は、図２２の発光ブロックを平面図により示している。このタイプＨの発光ブロック１１Ｈは、例えば、左斜め下から信号をインプットし、右斜め上に信号をアウトプットする場合に好適に用いることができる。
【００９８】
このタイプＨの発光ブロック１１Ｈでは、透光性サブモジュール３０の上下の端部３９ａおよび３９ｂのそれぞれに、凹タイプのコネクタサブモジュール３６ｂおよび凸タイプのコネクタサブモジュール３６ａが１つずつ配置されている。凹タイプのコネクタサブモジュール３６ｂ同士と凸タイプのコネクタサブモジュール３６ａ同士とが上下に並ぶように左右同じ側に設けられている。
【００９９】
また、タイプＨの発光ブロック１１Ｈでは、２つの端子を備えた接続用基板３１が上側の端部２１ａに配置されている。さらに、下側の端部２１ｂの凸タイプのコネクタサブモジュール３６ａと対応する位置に、１つの端子を備えた基板３４が配置され、基板３１と基板３４は、配線（接続用電極、電気接続ワイヤー）３５ｃにより電気的に接続されている。
【０１００】
このタイプＨの発光ブロック１１Ｈでは、下側の端部２１ｂの凸タイプのコネクタサブモジュール３６ａと接続するようにカバーユニット（スタートモジュール）１０１Ｄを設けることにより、左斜め下から信号をスタートさせ、右斜め上に信号をアウトプットすることができる。
【０１０１】
図２５は、発光ブロックのさらに他の例を斜視図により示している。図２６は、図２５の発光ブロックを展開図（分解斜視図）により示している。このタイプＩの発光ブロック１１Ｉは、透光性サブモジュール３０の上下の端部３９ａおよび３９ｂのそれぞれに、凹タイプのコネクタサブモジュール３６ｂおよび凸タイプのコネクタサブモジュール３６ａが１つずつ配置されている。凹タイプのコネクタサブモジュール３６ｂ同士および凸タイプのコネクタサブモジュール３６ａ同士が上下に並ぶように、左右同じ側に設けられている。
【０１０２】
タイプＩの発光ブロック１１Ｉは、図１４に示したタイプＤの発光ブロック１１Ｄと同様に、下側の左右に接続される他の発光ブロックと、上側の左右に接続される他の発光ブロックとを、それぞれ電気的に接続できるタイプである。このため、接続用基板３１が下側の端部２１ｂおよび上側の端部２１ａにそれぞれ配置されている。このタイプＩの発光ブロック１１Ｉは、例えば、図１４に示したタイプＤと異なる構成で多段に発光ブロックを組み立てる際に好適である。
【０１０３】
図２７は、タイプＩの発光ブロック１１ＩとタイプＡの発光ブロック１１Ａとを用いて表示装置３の一部を組み立てた状態を斜視図により示している。図２８は、表示装置３の骨格をスケルトンにして示している。図２９は、表示装置３の発光ブロックの配置を平面図（正面図）により示している。
【０１０４】
これらの図に示すように、タイプＩの発光ブロック１１Ｉを用いることにより、タイプＡの発光ブロック１１Ａを、図１５に示した構成とは異なる組み合わせで３段あるいは４段以上に発光ブロックを組み合わせることができる。このため、表示装置１または２とは異なる形状および構成の表示装置３を形成することが可能となる。これらの各タイプの発光ブロックは、適宜、組み合わせて使うことが可能であり、例えば、段積みの構成により、タイプＤとタイプＩの発光ブロックを組み合わせて表示装置を形成できる。
【０１０５】
なお、上述した発光ブロックは、いくつかの例にすぎない。また、複数の発光ブロックを接続できる発光ブロックの外形は、上記に限定されることはなく、例えば３画素以上を表示できる若干長い直方体状の発光ブロックであってもよい。また、水平な断面が正八角形のサッカーボールに近いような形状の多面体を２つまたは３つ以上直線的に接続したような発光ブロックであってもよい。左右に隣接する発光ブロック同士が面で接触するような、その他の形状を採用することも可能である。また、ベースあるいはコアとなる２画素以上を表示できる透光性ブロックは、例えば、２つまたはそれ以上の球や円柱などユニットをアームで接続したような形状であっても良い。一般的に、全体が長方形あるいは正方形の表示壁を備えた表示装置を形成するためには、偶数画素を表示するブロックと、奇数画素を表示するブロックとを用意することが望ましい。上記の例は、最小単位の２個の画素を表示するブロック１１と、１個の画素を表示するブロック１２との組み合わせを示している。また、２個の画素を表示するブロック１１の主たるサブモジュール（透光性サブモジュール）を一体成型とすることにより、ブロック１１の強度（機械的強度）の向上を図れる。それとともに、ブロック１１に取り付ける接続用基板３１を、２画素あるいは複数画素にまたがる一体型のサブモジュールにすることが可能となるので配線（電気的接続）の信頼性も向上できる。
【０１０６】
また、上記では、直方体状の発光ブロック１１を補助壁３０ｂにより２分割しているが、長手方向に４分割したり、上下左右に４分割して、１つの発光ブロック１１に含まれるパーティションの数を増やすことも可能である。分割数は３分割でも、５分割以上であってもよい。１つの発光ブロック１１で表示できる画素数が増加するので、解像度の高い画像を表示できる。画素数の多い発光ブロックと、画素数の少ない発光ブロックとを組み合わせて表示装置を形成することも可能である。
【０１０７】
上述した透光性サブモジュール３０および５５は、乳白色のアクリル製であるが、透明であっても良く、すりガラスのような半透明な加工を施したものであってもよい。材質もアクリルに限定されない。直方体型の発光ブロック１１の典型的なサイズは、短辺が４０ｍｍ、長辺が８０ｍｍ程度のものである。このサイズは、複数の発光ブロック１１を手で組み立てたり、分解したりするのに適している。発光ブロック１１は、このサイズより小さくても良く、大きくてもよい。
【０１０８】
発光ブロック１１および１２に内蔵される光源の典型的なものは、上述した発光ダイオード（ＬＥＤ）である。ＬＥＤは単色でもよいが、発光ブロック１１および１２により提供される画素は１つのサイズが大きいので、１画素でマルチカラーを表現できることが望ましい。したがって、多色、例えばＲＧＢ各色のＬＥＤを含むＬＥＤユニットが好適である。光源は、カラー表示ができる他のタイプであっても良く、例えば、有機ＥＬ素子、無機ＥＬ素子を挙げることができる。
【０１０９】
発光ブロック１１および１２により組み立てられる（製造される）表示装置は、照明を兼ねたものであってもよい。表示装置の例としては、イベントブース用の表示・照明装置、商業施設用の展示装飾、ホテルのラウンジ、ロビーの壁面、飲食店の店内装飾を挙げることができる。１つの表示装置を、照明、静止画あるいは動画の表示媒体、情報の伝達媒体などの多くの目的で利用することも可能である。
【図面の簡単な説明】
【０１１０】
【図１】表示装置の一例を示す斜視図。
【図２】図１の表示装置を示す展開図。
【図３】図１の表示装置を形成するために用いられる発光ブロックの一例を示す斜視図。
【図４】図３の発光ブロックを示す展開図。
【図５】発光ブロックを構成するモジュール類を示す展開図。
【図６】図１の表示装置を形成するために用いられる発光ブロックの他の一例を示す斜視図。
【図７】図６の発光ブロックを示す展開図。
【図８】（ａ）〜（ｄ）はそれぞれ図１の表示装置を形成するために用いられるカバーユニットの例を示す斜視図。
【図９】カバーユニットを構成する部材を示す展開図。
【図１０】（ａ）はカバーユニットの他の例を示す斜視図。（ｂ）は（ａ）のカバーユニットが備える基板を抜き出して示す斜視図。
【図１１】図１の表示装置の部分的な構成を示す平面図。
【図１２】図１の表示装置の図１１の部分の骨格を示す図。
【図１３】表示装置の他の例を示す斜視図。
【図１４】図１３の表示装置を形成するために用いられる発光ブロックの一例を示す平面図。
【図１５】図１３の表示装置を示す展開図。
【図１６】Ｃタイプの発光ブロックを示す斜視図。
【図１７】図１６の発光ブロックを示す展開図。
【図１８】Ｂタイプの発光ブロックを示す斜視図。
【図１９】図１８の発光ブロックを示す展開図。
【図２０】発光ブロックのさらに他の例を示す斜視図。
【図２１】図２０の発光ブロックを示す展開図。
【図２２】発光ブロックのさらに他の例を示す斜視図。
【図２３】図２２の発光ブロックの骨格を示す図。
【図２４】図２２の発光ブロックを示す平面図。
【図２５】発光ブロックのさらに他の例を示す斜視図。
【図２６】図２５の発光ブロックを示す展開図。
【図２７】図２５の発光ブロックを用いて複数の発光ブロックを組み上げた表示装置の一部を示す図。
【図２８】図２７の表示装置の骨格を示す図。
【図２９】図２７の表示装置を示す平面図。
【符号の説明】
【０１１１】
１、２    表示装置、  １０、１１、１２    発光ブロック
２０    直方体型のモジュール、  ２９    光源ユニット
３０    透光性サブモジュール、  ３１    基板
３５ａ、３５ｂ    端子ユニット、  ３６、３６ａ、３６ｂ    コネクタサブモジュール
３９ａ    透光性サブモジュールの上端部（開口端）
３９ｂ    透光性サブモジュールの下端部（開口端）
５０    立方体型のモジュール
【図１】
0005336092.tif 000002
【図２】
0005336092.tif 000003
【図３】
0005336092.tif 000004
【図４】
0005336092.tif 000005
【図５】
0005336092.tif 000006
【図６】
0005336092.tif 000007
【図７】
0005336092.tif 000008
【図８】
0005336092.tif 000009
【図９】
0005336092.tif 000010
【図１０】
0005336092.tif 000011
【図１１】
0005336092.tif 000012
【図１２】
0005336092.tif 000013
【図１３】
0005336092.tif 000014
【図１４】
0005336092.tif 000015
【図１５】
0005336092.tif 000016
【図１６】
0005336092.tif 000017
【図１７】
0005336092.tif 000018
【図１８】
0005336092.tif 000019
【図１９】
0005336092.tif 000020
【図２０】
0005336092.tif 000021
【図２１】
0005336092.tif 000022
【図２２】
0005336092.tif 000023
【図２３】
0005336092.tif 000024
【図２４】
0005336092.tif 000025
【図２５】
0005336092.tif 000026
【図２６】
0005336092.tif 000027
【図２７】
0005336092.tif 000028
【図２８】
0005336092.tif 000029
【図２９】
0005336092.tif 000030